(57)【要約】【課題】  サマータイム制に対応し、標準時とサマータイムとの切り替えを告知できる目覚し時計を提供する。【解決手段】  目覚し機能設定部としてのアラーム設定部４と、制御回路３と、告知手段としての音声発生部１０を備える。制御回路３は、サマータイム切替情報を取得し、アラームセット時から目覚し動作開始予定時刻（セット時刻）の間に、標準時からサマータイムへの切替時刻、又はサマータイムから標準時への切替時刻を含んでいると判断したときに、音声発生部１０に指令を出し、アラームセット時及び／又はアラーム鳴動時に標準時とサマータイムとの切替時刻を含んでいることを告知する。【選択図】          図２
2005241498.tif 000002
【特許請求の範囲】
【請求項１】
サマータイムに対応して自動的に時刻を修正する目覚し時計であって、
目覚し機能セット時から当該目覚し機能による目覚し動作開始予定時刻の間に、標準時からサマータイムへの切替時刻又はサマータイムから標準時への切替時刻を含んでいる場合に、
目覚し機能セット時及び／又は目覚し動作時に前記切替時刻を含んでいることを告知することを特徴とする目覚し時計。
【請求項２】
サマータイムに対応して自動的に時刻を修正する目覚し時計であって、
目覚し機能設定部と、
サマータイム切替情報を記憶すると共に、当該サマータイム切替情報と前記目覚し機能設定部から入力された情報とを比較する制御回路と、
告知手段とを有し、
前記制御回路が、目覚し機能セット時から当該目覚し機能による目覚し動作開始予定時刻の間に、標準時からサマータイムへの切替時刻又はサマータイムから標準時への切替時刻を含んでいると判断したときに、
前記告知手段は、目覚し機能セット時及び／又は目覚し動作時に前記切替時刻を含んでいることを告知することを特徴とする目覚し時計。
【請求項３】
前記目覚し時計は、電波受信部を有し、当該電波受信部で受信した電波に基づいて自動的に時刻を修正する電波時計であることを特徴とする請求項１又は２記載の目覚し時計。
【請求項４】
前記告知手段は、音声発生部を有し、当該音声発生部により、音声による前記告知を行うことを特徴とする請求項２又は３記載の目覚し時計。
【請求項５】
前記目覚し機能設定部により設定した目覚し動作開始予定時刻が、標準時からサマータイムに切り替わることにより消滅する時間帯に含まれているときは設定した前記目覚し動作予定時刻は標準時からサマータイムに切り替わることにより消滅する時間帯に含まれている旨目覚し機能セット時に告知することを特徴とする請求項２乃至４項のいずれか一項記載の目覚し時計。
【請求項６】
前記目覚し機能設定部により設定した目覚し動作開始予定時刻が、サマータイムから標準時に切り替わることにより重複する時間帯に含まれているときは設定した前記目覚し動作予定時刻はサマータイムから標準時に切り替わることにより重複する時間帯に含まれている旨目覚し機能セット時に告知することを特徴とする請求項２乃至４項のいずれか一項記載の目覚し時計。
【請求項７】
前記目覚し機能設定部により設定した目覚し動作開始予定時刻が、サマータイムから標準時に切り替わることにより重複する時間帯に含まれているときは設定した前記目覚し動作予定時刻はサマータイムから標準時に切り替わることにより重複する時間帯に含まれている旨目覚し機能セット時に告知するとともに、前記重複する時間帯のうち先に訪れる時間帯に含まれる前記目覚し動作予定時刻又は後に訪れる時間帯に含まれる前記目覚し動作予定時刻に目覚し動作を開始することを特徴とする請求項２乃至４項のいずれか一項記載の目覚し時計。
【発明の詳細な説明】
【技術分野】
【０００１】
本発明は、目覚し時計に関し、特にサマータイム制に対応した目覚し時計に関する。
【背景技術】
【０００２】
日の出後の太陽光を有効活用しようとする観点から、日の出が早い時期、例えば、４月の初めから１０月に入るまでの間、時間を一時間進めるなどして、一日の活動開始時間を早めるサマータイム制の提案がある。
【０００３】
このサマータイム制は、ある時期（例えば、４月１日）に、午前２時（標準時）を午前３時（サマータイム）であると設定し、所定期間（例えば、４〜９月）経過後のある時期（例えば、１０月１日）に、午前３時（サマータイム）を午前２時（標準時）であると設定する（すなわち、標準時に戻す。）。
【０００４】
このような、サマータイムへ対応できる時計として、例えば、１年の特定期間の間、通常時刻表示からサマータイム表示に切り換えるサマータイム時計において、正時および／または所定の時刻になったとき報時音を発生する報時手段と、上記サマータイム表示時と標準時刻表示時とで上記報時音を異ならせる制御手段とを具備することを特徴とするサマータイム時計が提案されている（特許文献１）。
【０００５】
このサマータイム時計は、アラーム時刻のセットスイッチを備えることにより、目覚し時計として使用でき、サマータイム表示時と標準時刻表示時とでアラームや正時の報時音を異ならせることによって、報時の際に現在の時刻表示がサマータイム表示であるか標準時刻表示であるかを確認できる。
【０００６】
また、このサマータイム時計は、カレンダデータを収めた電波時計として構成する等、自動的にサマータイムへの切り替えを行うようにしておけば、たとえ、使用者が翌日からサマータイムに入ることを忘れていても自動的に想定した時刻にアラームを鳴らすことができる。このため、標準時、サマータイム時の時刻に沿って行動をしたい使用者には便利である。
【０００７】
一方、サマータイム制の下、例えば、前記のようにサマータイム時に一時間時間を進めるとすると、標準時からサマータイムへの切替時には実質的に時間が一時間消滅し、サマータイムから標準時への切替時には実質的に時間が一時間重複することになる。このような時間の消滅、時間の重複によって目覚し時計のアラーム鳴動時間のずれが問題となることがある。
【０００８】
このような目覚し時計のアラーム鳴動時間のずれを解消し、あらかじめ設定しておいた時刻またはその近辺で、確実に１回だけアラームを鳴動させる提案として、特許文献２が提案されている。
【０００９】
【特許文献１】特開平８−５７６０号公報
【特許文献２】特開２００１−８３２６８号公報
【発明の開示】
【発明が解決しようとする課題】
【００１０】
しかしながら、特許文献１記載のサマータイム時計は、アラームセット時から一定時間後にアラームを鳴らしたい使用者には不都合が生じると考えられる。
【００１１】
すなわち、このサマータイム時計では、サマータイム表示時と標準時刻表示時の区別は、アラーム音を異ならせることによって行っているので、使用者が、サマータイムに入ったこと、又は、標準時に戻ったことを知ることができるのは、実際にアラーム音が鳴ったときである。
【００１２】
このため、例えば、８時間の睡眠時間を確保しようとして、サマータイムに入る前日の夜１０時にアラーム機能をセットしたとする。この場合、その操作をした時点では、サマータイムに入ることを知らず、又は忘れたまま、翌朝６時にアラームをセットして就寝すると、アラームは前日の夜１０時から、実質的には、７時間後に鳴ることになる。これでは、使用者は、何の告知も受けることなく、実際には７時間の睡眠時間しか確保されず問題であった。
【００１３】
また、特許文献２における提案も、目覚し時計のアラーム鳴動時間のずれを解消し、あらかじめ設定しておいた時刻またはその近辺で、確実に１回だけアラームを鳴動させることができるが、アラーム機能をセットする操作をした時刻から実際にアラームが鳴る時刻までの時間が、使用者が望むものとは異なることがあり、また、そのような事態となっていることを告知されることはなく、問題であった。
【００１４】
そこで、本発明は、目覚し機能セット時及び／又は目覚し動作時に、標準時からサマータイムへの切替時期、サマータイムから標準時への切替時期を含んでいることを告知する目覚し時計を提供することを課題とする。
【課題を解決するための手段】
【００１５】
かかる課題を解決するために、本発明は、サマータイムに対応して自動的に時刻を修正する目覚し時計であって、目覚し機能セット時から当該目覚し機能による目覚し動作開始予定時刻の間に、標準時からサマータイムへの切替時刻又はサマータイムから標準時への切替時刻を含んでいる場合に、目覚し機能セット時及び／又は目覚し動作時に前記切替時刻を含んでいることを告知することを特徴とする目覚し時計とした（請求項１）。
【００１６】
このような目覚し時計とすることにより、使用者は、目覚し機能セット時に、サマータイムに入ること、標準時に戻ることを知ることができ、目覚し機能セット時から当該目覚し機能による目覚し動作開始予定時刻までの時間が、自分が所望する時間でないときは、改めて目覚し機能をセットし直す等の措置を採ることができる。また、目覚し動作時、すなわち、目が覚めたときに、サマータイムに入ったこと、標準時に戻ったことを知ることができる。
【００１７】
また、このようなサマータイムに対応して自動的に時刻を修正する目覚し時計は、目覚し機能設定部と、サマータイム切替情報を記憶すると共に、当該サマータイム切替情報と前記目覚し機能設定部から入力された情報とを比較する制御回路と、告知手段とを有し、前記制御回路が、目覚し機能セット時から、当該目覚し機能による目覚し動作開始予定時刻の間に、標準時からサマータイムへの切替時刻又はサマータイムから標準時への切替時刻を含んでいると判断したときに、前記告知手段は、目覚し機能セット時及び／又は目覚し動作時に前記切替時刻を含んでいることを告知することを特徴とする目覚し時計として構成することができる（請求項２）。
【００１８】
ここで、前記目覚し時計は、電波受信部を有し、当該電波受信部で受信した電波に基づいて自動的に時刻を修正する電波時計とすることができる（請求項３）。電波時計は、いつからサマータイムに切り替わる、標準時に切り替わるといったサマータイム予告情報等のサマータイムに関わる情報を受信することができ、都合がよい。
【００１９】
また、前記告知手段は、音声発生部を有し、当該音声発生部により、音声による前記告知を行うことができる（請求項４）。音声であれば、使用者に告知を効率よく伝えることができる。
【００２０】
更に本発明の目覚し時計は、前記目覚し機能設定部により設定した目覚し動作開始予定時刻が、標準時からサマータイムに切り替わることにより消滅する時間帯に含まれているときは設定した前記目覚し動作予定時刻は標準時からサマータイムに切り替わることにより消滅する時間帯に含まれている旨目覚し機能セット時に告知する構成とすることができる（請求項５）。このような構成により、使用者は、サマータイムに切り替わることをより強く認識することができる。
【００２１】
また、前記目覚し機能設定部により設定した目覚し動作開始予定時刻が、サマータイムから標準時に切り替わることにより重複する時間帯に含まれているときは設定した前記目覚し動作予定時刻はサマータイムから標準時に切り替わることにより重複する時間帯に含まれている旨目覚し機能セット時に告知する構成とすることができ（請求項６）、さらに、前記目覚し機能設定部により設定した目覚し動作開始予定時刻が、サマータイムから標準時に切り替わることにより重複する時間帯に含まれているときは設定した前記目覚し動作予定時刻は、サマータイムから標準時に切り替わることにより重複する時間帯に含まれている旨目覚し機能セット時に告知するとともに、前記重複する時間帯のうち先に訪れる時間帯に含まれる前記目覚し動作予定時刻又は後に訪れる時間帯に含まれる前記目覚し動作予定時刻に目覚し動作を開始する構成とすることができる（請求項７）。このような構成により、使用者が所望していた睡眠時間を確保でき、使用者の判断で、目覚し機能をセットし直すこともできる。
【発明の効果】
【００２２】
本発明によれば、目覚し機能セット時から当該目覚し機能による目覚し動作開始予定時刻までの間に、標準時からサマータイムへの切替時刻又はサマータイムから標準時への切替時刻を含んでいる場合に、目覚し機能セット時に使用者に告知するようにしたので、使用者は、その時点で、サマータイムへ入ること、標準時へ戻ることを知ることができる。また、目覚し動作時に改めてサマータイムへ入ること、標準時へ戻ることを知ることができる。
【発明を実施するための最良の形態】
【００２３】
以下、本発明を実施するための最良の形態を図面と共に詳細に説明する。
【実施例１】
【００２４】
まず、図１を参照しながら本実施例の構成を説明する。図１に示される目覚し時計１は、表示制御部２と、時刻表示部１２とを有している。また、図１に示されるように表示制御部２は、制御回路３と、発振回路５と、分周回路６と、計時部７と、秒針用モータ部８と、時分針用モータ部９とを有している。
【００２５】
さらに、制御回路３に接続したアラーム設定部４、音声発生部１０を有している。このアラーム設定部４は、本発明の目覚し機能設定部に相当するものであり、音声発生部１０は、本発明の告知手段に相当する。
【００２６】
制御回路３は、図示しないメモリ部にカレンダ情報と、サマータイム切替情報を記憶している。さらに、図示しないハードウェア装置に記録された制御プログラムを読み出し、この制御プログラムに従って図１に示す各部を制御する。具体的な制御としては、計時部７から取得した現在時刻データに従って、秒針用モータ部８、時分針用モータ部９を制御し、時刻表示部１２の秒針、分針、時針が現在時刻を表示するように制御する。また、メモリ部に記憶したサマータイム切替情報と、アラーム設定部４により入力された情報とを比較し、その結果を音声発生部１０により告知する。
【００２７】
発振回路５は、常時、一定周波数の信号を送出している回路部であり、分周回路６は、発振回路５からの信号を計数して計数値が１分に対応する値になる度に１分信号を計時部７に送出する。計時部７は、分周回路６からの１分信号を計数して、現在時刻データを保持すると共に、現在時刻データを制御回路３に供給する。
【００２８】
時刻表示部１２は、秒針用モータ部８によって駆動される秒針と、時分針用モータ部９によって駆動される時針と分針とからなる。秒針用モータ部８と時分針用モータ部９には、例えばステッピングモータを適用することができる。ステッピングモータは、入力する信号のパルス数によって、回転する角度を調整することができるため、制御回路３はこれらのモータ部８、９に出力するパルス数を調整することで時刻表示部１２に現在時刻を表示する。
【００２９】
電波時計部３０は、電波受信部３１を有しており、この電波受信部３１は、標準時刻電波を受信して、制御回路３に通知する。制御回路３は電波受信部３１により受信した標準時刻電波により計時部７の時刻を修正する。標準時刻電波を受信して時刻を修正することにより、電子時計に正確な時間を表示させることができる。
【００３０】
以上のように構成される目覚し時計１において、制御回路３が行うメモリ部に記憶したサマータイム切替情報とアラーム設定部４により入力された情報との比較のプロセス及び、その結果の音声発生部１０による告知につき、図２に示すフローチャートに基づいて詳説する。
【００３１】
なお、ここでは、説明のため、サマータイムの実施期間を、４月〜９月いっぱいとし、サマータイムに入るときは、４月１日午前２時（標準時）を午前３時（サマータイム）であると設定し、標準時に戻すときは、１０月１日午前３時（サマータイム）を午前２時（標準時）であると設定することとする。メモリ部には、以上のようなサマータイム切替情報が記憶されているとして以下の説明を行う。
（１）  まず、アラーム設定部４に対し設定作業を行った目覚し機能セット時はサマータイム期間ではなく、目覚し機能による目覚し動作開始予定時刻がサマータイム期間である場合について説明する。すなわち、目覚し機能セット時から当該目覚し機能による目覚し動作開始予定時刻までの間に、標準時からサマータイムへの切替時刻を含んでいる場合である。
【００３２】
今から８時間の睡眠を確保しようとしている使用者が、３月３１日の夜１０時に、いつも通り、アラーム設定部４に対し翌日（４月１日）の朝６時に目覚し動作開始予定時刻、すなわち、アラームの鳴る時刻をセットし、「アラームＯＮ」にしたとする（ステップＳ１）。
【００３３】
すると、制御回路３は、メモリ部に記憶したサマータイム切替情報に基づいて「アラームＯＮ」とした時刻が、サマータイムであるか否かを判断する（ステップＳ２）。ここで、３月３１日夜１０時の段階では、未だサマータイムに入っていないから、制御回路３は、「Ｎｏ」と判断し、ステップＳ３に進む。
【００３４】
ステップＳ３では、制御回路３が、目覚し動作開始予定時刻、すなわち、アラームが鳴るようにしたセット時刻がサマータイム期間中であるか否かを判断する（ステップＳ３）。ここで、アラームが鳴るようにしたセット時刻は、４月１日の朝６時であり、すでにサマータイムに入っているから、制御回路３は、「Ｙｅｓ」と判断し、ステップＳ４に進む。
【００３５】
ステップＳ４では、制御回路３は、音声発生部１０に対して指令を送り、音声発生部１０は、例えば、「セット時刻はサマータイムになります。」と告知する。この告知により使用者は、「明日から、サマータイムだな。」と認識できる。
【００３６】
また、標準時からサマータイムに入るときは、午前２時がいきなり午前３時になるので、１時間消滅することになる。このため、使用者は、３月３１日夜１０時に就寝し、４月１日朝６時に起床したとしても、実質的には７時間の睡眠しか確保されないことになる。ここで、使用者は、実質的に睡眠時間が１時間少なくなることを知ることができ、それでも８時間の睡眠時間を確保したいのであれば、ステップ１に戻って、アラーム設定部４の設定を設定し直すことができる。
【００３７】
使用者は、ステップＳ４を経過することによって、明日からサマータイムに入ることを確認して就寝する。
【００３８】
アラーム設定部４の設定を設定し直すことなく時間が経過し、４月１日朝６時（サマータイム）を迎えると、アラームが鳴る（「アラーム発生」、ステップＳ５）。
【００３９】
アラームにより目覚めた使用者がアラームをストップする（「アラームストップ」、ステップＳ６）と、制御回路３は、音声発生部１０に対し指令を送り、音声発生部１０は、「サマータイムになりました。」と告知する（ステップＳ７）。これにより、朝、目覚めた使用者は、「今日から、サマータイムだな。」と改めて認識した上で、以後の活動を開始することができる。以上で、一連の動作が完了する（ＥＮＤ）。
（２）  次に、アラーム設定部４に対し設定作業を行った目覚し機能セット時がサマータイム期間ではなく、目覚し機能による目覚し動作開始予定時刻もサマータイム期間でない場合について説明する。
【００４０】
今から８時間の睡眠を確保しようとしている使用者が、３月３０日の夜１０時に、いつも通り、アラーム設定部４に対し翌日（３月３１日）の朝６時に目覚し動作開始予定時刻、すなわち、アラームの鳴る時刻をセットし、「アラームＯＮ」にしたとする（ステップＳ１）。
【００４１】
すると、制御回路３は、メモリ部に記憶したサマータイム切替情報に基づいて「アラームＯＮ」とした時刻が、サマータイムであるか否かを判断する（ステップＳ２）。ここで、３月３０日夜１０時の段階では、未だサマータイムに入っていないから、制御回路３は、「Ｎｏ」と判断し、ステップＳ３に進む。
【００４２】
ステップＳ３では、制御回路３が、目覚し動作開始予定時刻、すなわち、アラームが鳴るようにしたセット時刻がサマータイム期間中であるか否かを判断する（ステップＳ３）。ここで、アラームが鳴るようにしたセット時刻は、３月３１日の朝６時であり、未だサマータイムに入っていないから、制御回路３は、「Ｎｏ」と判断し、ステップＳ８に進む。すなわち、ステップＳ４のような告知が行われることはないので、使用者は、そのまま、就寝し、３月３１日朝６時（標準時）を迎えると、アラームが鳴る（「アラーム発生」、ステップＳ８）。
【００４３】
アラームにより目覚めた使用者がアラームをストップする（「アラームストップ」、ステップＳ９）と、一連の動作が完了する（ＥＮＤ）。
【００４４】
すなわち、この場合、目覚し機能セット時（Ｓ１）から目覚し機能による目覚し動作開始予定時刻（Ｓ８）の間に、標準時−サマータイム間の切替時刻を含んでいない。従って、通常の目覚し時計となんら異なる操作、動作をすることはなく、使用者が望む時間（８時間）が経過した後に、アラームが鳴る。
（３）  次に、アラーム設定部４に対し設定作業を行った目覚し機能セット時がサマータイム期間中で、目覚し機能による目覚し動作開始予定時刻もサマータイム期間中である場合について説明する。
【００４５】
今から８時間の睡眠を確保しようとしている使用者が、４月１日の夜１０時に、いつも通り、アラーム設定部４に対し翌日（４月２日）の朝６時に目覚し動作開始予定時刻、すなわち、アラームの鳴る時刻をセットし、「アラームＯＮ」にしたとする（ステップＳ１）。
【００４６】
すると、制御回路３は、メモリ部に記憶したサマータイム切替情報に基づいて「アラームＯＮ」とした時刻が、サマータイムであるか否かを判断する（ステップＳ２）。ここで、４月１日夜１０時の段階で、すでにサマータイムに入っているから、制御回路３は、「Ｙｅｓ」と判断し、ステップＳ１０に進む。
【００４７】
ステップＳ１０では、制御回路３が、目覚し動作開始予定時、すなわち、アラームが鳴るようにしたセット時刻がサマータイム期間中であるか否かを判断する（ステップＳ１０）。ここで、アラームが鳴るようにしたセット時刻は、４月２日の朝６時であり、サマータイム期間中であるから、制御回路３は、「Ｙｅｓ」と判断し、ステップＳ８に進む。ここでも、なんら告知が行われることはないので、使用者は、そのまま、就寝し、４月２日朝６時（サマータイム）を迎えると、アラームが鳴る（「アラーム発生」、ステップＳ８）。
【００４８】
アラームにより目覚めた使用者がアラームをストップする（「アラームストップ」、ステップＳ９）と、一連の動作が完了する（ＥＮＤ）。
【００４９】
すなわち、この場合も、目覚し機能セット時（Ｓ１）から目覚し機能による目覚し動作開始予定時（Ｓ８）の間に、標準時−サマータイム間の切替時刻を含んでいない。従って、通常の目覚し時計となんら異なる操作、動作をすることはなく、使用者が望む時間（８時間）が経過した後に、アラームが鳴る。
（４）  最後に、アラーム設定部４に対し設定作業を行った目覚し機能セット時がサマータイム期間中で、目覚し機能による目覚し動作開始予定時がサマータイム期間でない場合について説明する。すなわち、目覚し機能セット時から当該目覚し機能による目覚し動作開始予定時の間に、サマータイムから標準時への切替時刻を含んでいる場合である。
【００５０】
今から８時間の睡眠を確保しようとしている使用者が、９月３０日の夜１０時に、いつも通り、アラーム設定部４に対し翌日（１０月１日）の朝６時に目覚し動作開始予定時、すなわち、アラームの鳴る時間をセットし、「アラームＯＮ」にしたとする（ステップＳ１）。
【００５１】
すると、制御回路３は、メモリ部に記憶したサマータイム切替情報に基づいて「アラームＯＮ」とした時刻が、サマータイムであるか否かを判断する（ステップＳ２）。ここで、９月３０日夜１０時の段階で、サマータイム期間中であるから、制御回路３は、「Ｙｅｓ」と判断し、ステップＳ１０に進む。
【００５２】
ステップＳ１０では、制御回路３が、目覚し動作開始予定時、すなわち、アラームが鳴るようにしたセット時刻がサマータイム期間中であるか否かを判断する（ステップＳ１０）。ここで、アラームが鳴るようにしたセット時刻は、１０月１日の朝６時であり、すでにサマータイムは終了し、標準時に戻っているから、制御回路３は、「Ｎｏ」と判断し、ステップＳ１１に進む。
【００５３】
ステップＳ１１では、制御回路３は、音声発生部１０に対して指令を送り、音声発生部１０は、例えば、「セット時刻はサマータイム終了になります。」と告知する。この告知により、使用者は、「明日で、サマータイムは終了して、標準時に戻るのだな。」と認識できる。
【００５４】
また、サマータイムが終了し、標準時へ戻るときは、午前３時が再び午前２時になるので、１時間重複することになる。このため、使用者は、９月３０日夜１０時に就寝し、１０月１日朝６時に起床したとすると、実質的には９時間の睡眠が確保されることになる。ここで、使用者は、実質的に睡眠時間が１時間多くなることを知ることができ、９時間の睡眠時間は不要であれば、ステップ１に戻って、アラーム設定部４の設定を設定し直すことができる。
【００５５】
使用者は、ステップＳ１１を経過することによって、明日から標準時に戻ることを確認して就寝する。
【００５６】
アラーム設定部４の設定を設定し直すことなく時間が経過し、１０月１日朝６時（標準時）を迎えると、アラームが鳴る（「アラーム発生」、ステップＳ１２）。
【００５７】
アラームにより目覚めた使用者がアラームをストップする（「アラームストップ」、ステップＳ１３）と、制御回路３は、音声発生部１０に対し指令を送り、音声発生部１０は、「サマータイムは終了しました。」と告知する（ステップＳ１４）。これにより、朝、目覚めた使用者は、「今日から、標準時だな。」と改めて認識した上で、以後の活動を開始することができる。以上で、一連の動作が完了する（ＥＮＤ）。
【００５８】
なお、ステップ１１において、「明日で、サマータイムは終了して、標準時に戻るのだな。」と認識した使用者が、８時間の睡眠を確保できれば十分であると判断し、ステップ１に戻って、アラームの鳴る時間を１０月１日の朝６時にセットし直し、「アラームＯＮ」にすれば、８時間の睡眠を確保した上で、起床後１時間、ゆとりを持って活動をすることができる。
【実施例２】
【００５９】
次に、実施例１において、ステップＳ１でアラーム設定部４により設定した目覚し動作開始予定時刻、すなわち、アラームが鳴るようにしたセット時刻が、標準時からサマータイムに切り替わることにより消滅する時間帯に含まれているときの制御について図３を参照しつつ説明する。
【００６０】
前記サマータイムの実施期間の設定では、４月１日午前２時（標準時）を午前３時（サマータイム）であるとして標準時からサマータイムへ切り替えるので、標準時の午前２時台の一時間が消滅することになる。
【００６１】
この場合に、ステップＳ１で、４月１日午前２時３０分（標準時）を目覚し動作開始予定時、すなわち、アラームの鳴る時刻をセットし、「アラームＯＮ」にしても、その時刻は、存在しないことになる。そこで、本実施例では、図３に示すように、図２におけるステップＳ３を二段階のステップ、ステップＳ３１と、ステップＳ３２とに分割して処理を進める。
【００６２】
ステップＳ２で、「Ｎｏ」と判断した制御回路３は、メモリ部に記憶したサマータイム切替情報に基づいて、前記セット時刻がサマータイムへの切替時刻後か否かを判断する（ステップＳ３１）。ここで、４月１日午前２時３０分は、サマータイムへの切替時刻である４月１日午前２時以後であるから、制御回路３は、「Ｙｅｓ」と判断し、ステップＳ３２に進む。
【００６３】
なお、ここで、前記セット時刻が、例えば、４月１日午前１時３０分等であれば、実施例１におけるステップＳ３で「Ｎｏ」と判断した場合と同様であるから、以後の処理も同様にステップＳ８、ステップＳ９を辿る。
【００６４】
ステップＳ３２に進むと、制御回路３は、メモリ部に記憶したサマータイム切替情報に基づいて、前記セット時刻がサマータイムへの切替により消滅する時間帯に含まれるか否かを判断する（ステップＳ３２）。ここで、４月１日午前２時３０分は、サマータイムへの切替により消滅する午前２時台の時間帯に含まれるから、制御回路３は、「Ｙｅｓ」と判断する。その後、制御回路３は、音声発生部１０に対して指令を送り、音声発生部１０は、例えば、「セット時刻はサマータイムへの切替により存在しません。再設定して下さい。」と告知する（ステップＳ３３）。この告知により、使用者は、明日からサマータイムであることを認識できると共に、セット時刻として、サマータイムへの切替により消滅することのない時刻を再設定することができる。
【００６５】
なお、ここで、前記セット時刻が、例えば、４月１日午前３時３０分等であれば、実施例１におけるステップＳ３で「Ｙｅｓ」と判断した場合と同様であるから、以後の処理も同様にステップＳ４〜ステップＳ７を辿る。
【００６６】
一方、実施例１において、ステップＳ１でアラーム設定部４により設定した目覚し動作開始予定時刻、すなわち、アラームが鳴るようにしたセット時刻が、サマータイムから標準時に切り替わることにより重複する時間帯に含まれることもある。この場合の制御について図３を参照しつつ説明する。
【００６７】
前記サマータイムの実施期間の設定では、１０月１日午前３時（サマータイム）を午前２時（標準時）であるとしてサマータイムから標準時へ切り替えるので、午前２時台の一時間が重複することになる。
【００６８】
この場合に、ステップＳ１で、１０月１日午前２時３０分に目覚し動作開始予定時、すなわち、アラームの鳴る時刻をセットし、「アラームＯＮ」にすると、標準時への切替前のサマータイムにおける午前２時３０分と、標準時に切り替わった後に再び現れる午前２時３０分のいずれにアラームを鳴らすべきかという問題が生じる。そこで、本実施例では、図３に示すように、図２におけるステップＳ１０を二段階のステップ、ステップＳ１０１と、ステップＳ１０２とに分割して処理を進める。
【００６９】
ステップＳ２で、「Ｙｅｓ」と判断した制御回路３は、メモリ部に記憶したサマータイム切替情報に基づいて、前記セット時刻がサマータイムへの切替時刻前か否かを判断する（ステップＳ１０１）。ここで、１０月１日午前２時３０分は、サマータイムへの切替時刻である１０月１日午前３時以前であるから、制御回路３は、「Ｙｅｓ」と判断し、ステップＳ１０２に進む。
【００７０】
なお、ここで、前記セット時刻が、例えば、１０月１日午前３時３０分等であれば、実施例１におけるステップＳ３で「Ｎｏ」と判断した場合と同様であるから、以後の処理も同様にステップＳ１１〜ステップＳ１４を辿る。
【００７１】
ステップＳ１０２に進むと、制御回路３は、メモリ部に記憶したサマータイム切替情報に基づいて、前記セット時刻がサマータイムへの切替により重複する時間帯に含まれるか否かを判断する（ステップＳ１０２）。ここで、１０月１日午前２時３０分は、サマータイムへの切替により重複する午前２時台の時間帯に含まれるから、制御回路３は、「Ｙｅｓ」と判断する。その後、制御回路３は、セット時刻を、重複する時間帯のうち後に訪れる時間帯に含まれる午前２時３０分、（すなわち、標準時へ切り替わっていないと仮定したときのサマータイムの午前３時３０分に相当）に設定する（ステップＳ１０３）。
【００７２】
ついで、制御回路３は、音声発生部１０に対して指令を送り、音声発生部１０は、例えば、「セット時刻は標準時への切替により重複します。」と告知する（ステップＳ１０４）。この告知により、使用者は、明日から標準時に戻ること、そのために、アラームが鳴るまでの時間は、実際は１時間遅くなることを認識できる。ステップＳ１０４以後の処理は、ステップＳ１１へ戻り、ステップＳ１１〜ステップＳ１４の過程を辿る。なお、ステップＳ１０３とステップＳ１０４の順序はどちらが先でもよく、同時であってもよい。
【００７３】
また、ステップＳ１０２において、前記セット時刻が重複する時間帯に含まれない、例えば、１０月１日午前１時３０分等であり、制御回路３が「Ｎｏ」と判断すれば、実施例１におけるステップＳ１０で「Ｙｅｓ」と判断した場合と同様であるから、以後の処理も同様にステップＳ８、ステップＳ９を辿る。
【実施例３】
【００７４】
この発明の他の実施例について説明する。前記実施例１、２では、ステップＳ４では、「セット時刻はサマータイムになります。」と告知し、ステップＳ１１では、「セット時刻サマータイム終了になります。」と告知するのみである。
【００７５】
この告知により、使用者は、明日から、サマータイムに入ること、明日から標準時に戻ること等を認識できる。
【００７６】
しかし、サマータイムに入ること、標準時に戻ることによって時間が消滅するのか、それとも重複するのかということを瞬時に判断することは難しいこともある。
【００７７】
そこで、アラームをＯＮにしたときから、実際にアラームがなるまでの実時間を同時に告知するようにしてもよい。前記の例では、ステップＳ４において、例えば、「アラームは今から７時間後に鳴ります。」と告知させるようにできる。同様に、ステップＳ１１では、「アラームは今から９時間後に鳴ります。」と告知させることもできる。
【００７８】
また、実施例２では、ステップＳ１０４において、「セット時刻は標準時へ切替のため重複します。」とのみ、告知しているが、これと同時に、「重複する時間帯のうち後の時間帯に設定しました。」等と告知させることもできる。
【実施例４】
【００７９】
前記実施例では、告知手段として音声を用いているが、音色を変えたり、音の回数、パターンを変えて告知するようにもできる。
【００８０】
また、前記実施例では、サマータイム切替情報は、制御回路３の図示しないメモリ部に記憶しているが、電波受信部３１で標準時刻電波を受信し、さらにサマータイム切替情報を受信して、制御回路３に通知する構成とすることもできる。
【００８１】
このような構成は、サマータイム制の実施の状況にあわせて適宜変更することができる。
【００８２】
なお、上記実施例１〜４は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【００８３】
例えば、前記実施例２では、アラームのセット時刻が、サマータイムから標準時へ切り替わることにより生じる重複する時間帯に含まれるときは、重複する時間帯のうち後に訪れる時間帯に含まれるセット時刻にアラームを鳴らす構成としているが、重複する時間帯のうち先に訪れる時間帯に含まれるセット時刻にアラームを鳴らす構成とすることもできる。また、先に訪れる時間帯とするか、後に訪れる時間帯とするかを使用者が選択する構成とすることもできる。
【図面の簡単な説明】
【００８４】
【図１】実施例１の構成を示す構成図である。
【図２】図１に示す実施例における処理手順を示すフローチャートである。
【図３】他の処理手順を示すフローチャートである。
【符号の説明】
【００８５】
１  目覚し時計
２  表示制御部
３  制御回路
４  アラーム設定部
５  発信回路
６  分周回路
７  計時部
８  秒針用モータ部
９  時分針用モータ部
１０  音声発生部
１２  時刻表示部
３０  電波時計部
３１  電波受信部
【図１】
2005241498.tif 000003
【図２】
2005241498.tif 000004
【図３】
2005241498.tif 000005